(57)【要約】【課題】簡易に組み立てることができるにもかかわらず、風雨、積雪などに強く耐久性のある栽培ハウスを提供する。【解決手段】切妻式の屋根２０を有する栽培ハウスであって、該屋根２０の棟６０方向に直交する面によって切断される左右壁４０の切断線と水平線とがなす角度が正五角形の隣り合う２辺のなす角度であり、該屋根２０の棟６０方向に対して直交する面によって切断される該屋根２０の２本の切断線のなす角度が正五角形の隣り合う２辺のなす角度である。【選択図】図１
0003137761.tif 000002
【実用新案登録請求の範囲】
【請求項１】
切妻式の屋根（２０）を有する栽培ハウスであって、
該屋根（２０）の棟（６０）方向に直交する面によって切断される左右壁（４０）の切断線と水平線とのなす角度が正五角形の隣り合う２辺のなす角度であることを特徴とする栽培ハウス。
【請求項２】
前記屋根（２０）の棟（６０）方向に対して直交する面によって切断される前記屋根（２０）の２本の切断線のなす角度が正五角形の隣り合う２辺のなす角度であることを特徴とする請求項１に記載の栽培ハウス。
【請求項３】
切妻式の屋根（２０）を有する栽培ハウスであって、
該屋根（２０）の棟（６０）方向に対して直交する断面が正五角形であることを特徴とする栽培ハウス。
【請求項４】
前記屋根（２０）が外側が透明材であり内側が着材である２枚の板材（２７，２８）を間に空間（２９）を保持して対向させた２重板構造に形成されることを特徴とする請求項１〜３のいずれかの１項に記載の栽培ハウス。
【考案の詳細な説明】
【技術分野】
【０００１】
本考案は、栽培ハウスに関する。
【背景技術】
【０００２】
従来より、地面に垂直に立てられた壁面の上部に切妻式の屋根が設けられた構造の栽培ハウスが知られている（特許文献１参照）。この栽培ハウスは、壁面が地面に垂直に立っているため風、特に横風に対して強度上の問題があった。
【０００３】
また、垂直部とそれに続く円弧状部よりなる主骨材を左右対をなして基礎上に立設し、頂部を接続固定してア−チ状に形成したア−チ状骨材を前後方向に並設し、これらア−チ状骨材上にア−チ状骨材に直交して母屋材を複数本平行して固設した園芸用ドームハウスが提案されている（特許文献２参照）。  このハウスで使用されるア−チ状骨材は一本物のパイプであり強度的に頑丈であるとしても、地面に垂直な壁部を有するので横風に対して強度上の問題があるとともに、全体又は屋根部がビニールシートで覆われる構造であり、風雨、積雪などに対して決して頑丈といえるものではなかった。
【特許文献１】実公平１−３１６８６号公報
【特許文献２】実開平６−７１７８１号公報
【考案の開示】
【考案が解決しようとする課題】
【０００４】
本考案の課題は、簡易に組み立てることができるにもかかわらず、風雨、積雪などに強く耐久性のある栽培ハウスを提供することにある。
【課題を解決するための手段】
【０００５】
本考案は、切妻式の屋根を有する栽培ハウスであって、該屋根の棟方向に直交する面によって切断される左右壁の切断線と水平線とのなす角度が正五角形の隣り合う２辺のなす角度である栽培ハウスを提供する。
【０００６】
屋根の棟方向に対して直交する面によって切断される屋根の２本の切断線のなす角度が正五角形の隣り合う２辺のなす角度であることが好ましい。このことにより、風、特に横風に対してだけでなく、雨及び積雪に対しても耐久性のある栽培ハウスが提供される。
【０００７】
また、本考案は、切妻式の屋根を有する栽培ハウスであって、該屋根の棟方向に対して直交する断面が正五角形である栽培ハウスを提供する。
【０００８】
前記屋根が外側が透明材であり内側が着材である２枚の板材を間に空間を保持して対向させた２重板構造に形成されることが好ましい。このことにより、２枚の板材を間の空間が保温効果を有し、栽培ハウス内の夜間の急激な温度降下が削減される。
【０００９】
本考案に係る栽培ハウスに使用する骨材の材質はアルミニウムであることが好ましい。アルミニウムは鉄に比べて軽量であるため組み立て作業を行い易く、また錆にくいため耐久性が増す。また、ステンレス材に比べて価格が安く、軽量である。本明細書において、「アルミニウム」にはアルミニウム合金も含まれる。
【考案の効果】
【００１０】
本考案に係る栽培ハウスは、切妻式の屋根を有し、該屋根の棟方向に対して直交する面によって切断される壁切断線と水平線とのなす角度が正五角形の隣り合う２辺のなす角度である、又は該屋根の棟方向に直交する妻方向断面が正五角形であるので、風雨、積雪に強く耐久性に優れた構造の栽培ハウスを実現できる。
【考案を実施するための最良の形態】
【００１１】
以下、本考案の実施の形態について詳細に説明するが、本考案は、これに限定されて解釈されるものではなく、本考案の範囲を逸脱しない限りにおいて、当事業者の知識に基づいて、種々の変更、修正、改良を加え得るものである。また、以下の説明において、出入口が設けられている側を前、これに対向する側を後とし、左右は、前から後に向かっていう。
【００１２】
図１は本考案の第１の実施の形態である栽培ハウス１を示す斜視図、図２は側面図、図３は平面図を示し、図４は図２のＡ−Ａ線断面図を示す。
栽培ハウス１は、切妻式の屋根２０を有しており、該屋根２０の頂部に位置し前後にのびる棟６０、該棟方向に平行、且つ水平に設置される２本のベース１０と、第１梁１２に固定されて第２梁１４、屋根骨材２４を介して屋根２０及び棟６０を支持する第２支柱１８、ベース１０に固定されて第１梁１２を介して第２支柱１８及び左右壁骨材４４を支持する第１支柱１６よりなる骨組みを備える。
【００１３】
図２のＡ−Ａ線断面図を示す図４において、左右壁骨材４４はその上部がそれぞれ左右に傾いて設置され、水平線と左右壁骨材４４とが形成する角度は、正五角形の隣り合う２辺のなす角度である。また、屋根骨材２４は、棟６０を頂部としてそれぞれ左右に傾斜して設置され、左右の２つの屋根骨材２４が形成する角度は、正五角形の隣り合う２辺のなす角度である。
【００１４】
図５は栽培ハウス１の前面図で、表妻面を示す。
栽培ハウス１は前壁３０を有し、該前壁３０には、１対の正面直角三角形状の前壁用上部パネル３２、前壁用下部パネル３４及びドアパネル３６が配置されている。前壁用上部パネル３２と前壁用下部パネル３４及びドアパネル３６とは、面一であり、鉛直に配置されている。
【００１５】
図６は栽培ハウス１の後面図で、裏妻面を示す。
栽培ハウス１は後壁５０を有し、該後壁５０には、後壁用上部パネル５２、１対の正面直角三角形状の後壁用下部パネル５４及び後壁用中央パネル５６が配置される。後壁用上部パネル５２と後壁用下部パネル５４及び後壁用中央パネル５６とは、面一であり、鉛直に配置される。
【００１６】
図１又は図２に示すように、栽培ハウス１は、左右の側面に左右壁４０を有する。左右壁４０は、棟６０方向に左右壁骨材４４に固定された左右壁框材４６が配置され、左右壁用パネル４２が左右壁骨材４４と左右壁框材４６に取り付けられて形成される。左右壁用４０と屋根用２０とは、正面より見て正五角形の隣り合う２辺のなす角度で配置される。
また、屋根２０の棟６０方向に直交する面によって切断される左右壁４０の切断線、つまり左右壁用パネル４２の切断線又は左右壁骨材４４の切断線と水平線とのなす角度が正五角形の隣り合う２辺のなす角度となる。
本明細書において左右壁４０の切断線とは、左右壁４０と棟６０方向に直交する面との交差する線をいう。また、水平線とは地球の重力の向きを示す鉛直線に垂直な面（水平面）上の線であり、本実施の形態ではベース１０は同一水平面上に設けられる。
【００１７】
図３に示すように、屋根２０には、棟６０に平行に屋根骨材２４に固定された屋根框材２６が配置され、屋根用パネル２２が屋根骨材２４と屋根框材２６に取り付けられる。前面から見たとき、屋根２０は、棟６０を頂点として左右に傾斜しているが、傾斜している両屋根面のなす角度は、前面から見て正五角形の隣り合う２辺のなす角度で配置される。つまり、屋根２０の棟６０方向に対して直交する面によって切断される屋根２０の２本の切断線のなす角度が正五角形の隣り合う２辺のなす角度である。
本明細書において屋根２０の２本の切断線とは、棟６０を頂点として左右に傾斜する左右各々の屋根２０と棟６０方向に対して直交する面との交差する線をいう。
【００１８】
本考案の実施の形態では、上記各パネル（左右ドアパネル３６を除く）として、着色強化プラスチック材が使用される。また、骨材（ベース１０を除く。）として、アルミニウム材が使用され、ベース１０として、Ｈ綱材が使用される。
【００１９】
次に本考案の第２の実施の形態を図７により説明する。なお、図７において、図１で用いた構成要素と同一の構成要素には同一符号を付し、その説明は省略する。
【００２０】
図７は、本考案の第２の実施の形態に係る栽培ハウス２の斜視図を示す。栽培ハウス２は、栽培ハウス１の構成を１ブロックとして３ブロックからなる栽培ハウスである。栽培ハウス２では、栽培ハウス１の３倍の植物の栽培面積を得ることができる。このように本考案にかかる栽培ハウスでは、必要とする栽培面積に応じて必要な大きさの栽培ハウスを自在に、しかも簡便に組み立てることができる。
【００２１】
次に本考案の第３の実施の形態を図８により説明する。なお、図８において、図１で用いた構成要素と同一の構成要素には同一符号を付し、その説明は省略する。
【００２２】
図８は、本考案の第３の実施の形態である栽培ハウス３の斜視図を示す。栽培ハウス３では、屋根用パネル２２を屋根窓２８とし、前後方向にスライド可能に配置される。屋根窓２８はアルミニウムの窓枠にガラス板が嵌め込まれる。屋根窓２８をスライドさせて開状態にすることによって、栽培ハウス３内に外気を取り入れたり、直射日光を取り入れたりすることができる。
【００２３】
次に本考案の第４の実施の形態を、図９〜１１により説明する。なお、図９〜１１において、図１〜８で用いた構成要素と同一の構成要素には同一符号を付し、その説明は省略する。
【００２４】
図９は、本考案の第４の実施の形態である栽培ハウス４の斜視図、図１０は平面図を示す。本実施の形態においては、屋根２０に降る雨水を集めるための雨水溜水槽７０が栽培ハウス４の左右に複数設けられている。雨水溜水槽７０に一定量以上溜まると溢れる水は、重力にて配管を通って貯水槽（図示せず）に溜められる。蓄えられた水は、ポンプでくみ上げられることによって、必要な時に栽培ハウス４における野菜などの栽培に使用される。
【００２５】
図１１は、図１０のＢ−Ｂ線断面図を示す。本実施の形態では、更に屋根２０が外側が透明材であり内側が着材である２枚の板材２７，２８を間に空間２９を保持して対向させた２重板構造に形成されている。このことにより、２枚の板材を間の空間が保温効果を有し、栽培ハウス内の夜間の急激な温度降下が減少する。
【００２６】
また、本実施例では、第１梁の上部に乾燥用エリア８０が設けられている。このことにより、第１梁の下部の栽培用エリアで植物を栽培し、第１梁の上部の乾燥用エリア８０で植物を乾燥させるという２つの目的のために同時に使用することができる。
【００２７】
本考案に係る栽培ハウスでは、椎茸を栽培し、乾燥させることができるが、椎茸栽培に限定されることなく、いわゆる温室栽培される植物を栽培することができる。
【産業上の利用可能性】
【００２８】
本考案は、椎茸や植物を栽培する温室として利用することができる。
【図面の簡単な説明】
【００２９】
【図１】本考案の第１の実施の形態に係る栽培ハウス１の斜視図である。
【図２】本考案の第１の実施の形態に係る栽培ハウス１の側面図である。
【図３】本考案の第１の実施の形態に係る栽培ハウス１の平面図である。
【図４】図２のＡ−Ａ線断面図である。
【図５】本考案の第１の実施の形態に係る栽培ハウス１の前面図である。
【図６】本考案の第１の実施の形態に係る栽培ハウス１の後面図である。
【図７】本考案の第２の実施の形態に係る栽培ハウス２の斜視図である。
【図８】本考案の第３の実施の形態に係る栽培ハウス３の斜視図である。
【図９】本考案の第４の実施の形態に係る栽培ハウス４の斜視図である。
【図１０】本考案の第４の実施の形態に係る栽培ハウス４の平面図である。
【図１１】図１０のＢ−Ｂ線断面図である。
【符号の説明】
【００３０】
１，２，３，４  栽培ハウス
１０        ベース
１２        第１梁
１４        第２梁
１６        第１支柱
１８        第２支柱
２０        屋根
２２        屋根用パネル
２４        屋根骨材
２６        屋根框材
２８        屋根窓
３０        前壁
３２        前壁用上部パネル
３４        前壁用下部パネル
３６        ドアパネル
４０        左右壁
４２        左右壁用パネル
４４        左右壁骨材
４６        左右壁框材
５０        後壁
５２        後壁用上部パネル
５４        後壁用下部パネル
５６        後壁用中央パネル
６０        棟
７０        雨水溜水槽
８０        乾燥用エリア 
【図１】
0003137761.tif 000003
【図２】
0003137761.tif 000004
【図３】
0003137761.tif 000005
【図４】
0003137761.tif 000006
【図５】
0003137761.tif 000007
【図６】
0003137761.tif 000008
【図７】
0003137761.tif 000009
【図８】
0003137761.tif 000010
【図９】
0003137761.tif 000011
【図１０】
0003137761.tif 000012
【図１１】
0003137761.tif 000013